(57)【要約】【課題】負荷が小さくなったときに除湿ができない。【解決手段】本発明の空気調和機では、室内熱交換器が、補助熱交換器２０と、補助熱交換器２０の風下側に配置された主熱交換器２１とを有している。所定の除湿運転モードでの運転が行われているとき、補助熱交換器２０に供給された液冷媒は、補助熱交換器２０の途中で全て蒸発する。したがって、補助熱交換器２０の上流側の一部だけが蒸発域であって、補助熱交換器２０の蒸発域の下流側の範囲は過熱域である。そして、所定の除湿運転モードにおいて、補助熱交換器２０の蒸発域の範囲が、負荷に応じて変化するように、圧縮機及び膨張弁が制御される。【選択図】図３
2014159954.tif 000002
【特許請求の範囲】
【請求項１】
圧縮機と、室外熱交換器と、膨張弁と、室内熱交換器とを接続した冷媒回路を備え、
所定の除湿運転モードにおいて、前記室内熱交換器は液冷媒が蒸発する蒸発域と前記蒸発域の下流側の過熱域を有すると共に、負荷に応じて前記蒸発域の範囲が変化するように前記圧縮機及び前記膨張弁が制御されることを特徴とする空気調和機。
【請求項２】
蒸発温度を検知する蒸発温度検知手段を備え、
前記圧縮機及び前記膨張弁が、蒸発温度に基づいて制御されることを特徴とする請求項１に記載の空気調和機。
【請求項３】
前記圧縮機及び前記膨張弁が、蒸発温度が所定範囲内の温度になるように制御されることを特徴とする請求項２に記載の空気調和機。
【請求項４】
過熱温度を検知する過熱温度検知手段を備えることを特徴とする請求項１−３のいずれかに記載の空気調和機。
【請求項５】
前記室内熱交換器が、前記所定の除湿運転モードにおいて、液冷媒が供給される補助熱交換器と、前記補助熱交換器の下流側に配置された主熱交換器とを有することを特徴とする請求項１−４のいずれかに記載の空気調和機。
【請求項６】
前記主熱交換器が、室内機内の前面側に配置された前面熱交換器と、室内機内の背面側に配置された背面熱交換器とを有し、
前記補助熱交換器が、前記前面熱交換器の前方に配置されることを特徴とする請求項５に記載の空気調和機。
【請求項７】
前記所定の除湿運転モードにおいて前記補助熱交換器の蒸発域となる段数が、前記前面熱交換器の段数の半分以上であることを特徴とする請求項６に記載の空気調和機。
【請求項８】
前記室内熱交換器に空気流を供給する室内ファンと、
前記室内ファンの回転数を変更する変更手段とを備えることを特徴とする請求項１−７のいずれかに記載の空気調和機。
【発明の詳細な説明】
【技術分野】
【０００１】
本発明は、除湿運転を行う空気調和機に関するものである。
【背景技術】
【０００２】
従来の空気調和機には、主熱交換器の背面側に補助熱交換器を配置して、補助熱交換器だけで冷媒を蒸発させて局所的に除湿を行うことで、低負荷時（圧縮機の回転数が低いとき）、例えば、室温と設定温度との差が十分に小さく必要な冷却能力が小さいときでも除湿ができるようにした空気調和機がある。この空気調和機では、蒸発域を補助熱交換器に限定し、温度センサをその蒸発域の下流側に配置し、一定の過熱度となるように制御していた。
【先行技術文献】
【特許文献】
【０００３】
【特許文献１】特開平９−１４７２７
【発明の概要】
【発明が解決しようとする課題】
【０００４】
しかし、一定の過熱度とするような制御では、負荷が比較的大きいときには、蒸発温度を下げることになってしまうが、蒸発温度が低く過ぎる場合には、凍結に至る可能性があると共に、蒸発温度を低くすると、冷凍サイクルの効率低下を招く。また、逆に負荷が非常に小さくなったときには、蒸発温度が上がってしまい、除湿ができなくなってしまうという問題がある。
【０００５】
そこで、本発明の目的は、低負荷時に負荷の変動があっても確実に除湿を行うことができる空気調和機を提供することである。
【課題を解決するための手段】
【０００６】
第１の発明にかかる空気調和機は、圧縮機と、室外熱交換器と、膨張弁と、室内熱交換器とを接続した冷媒回路を備え、所定の除湿運転モードにおいて、前記室内熱交換器は液冷媒が蒸発する蒸発域と前記蒸発域の下流側の過熱域を有すると共に、負荷に応じて前記蒸発域の範囲が変化するように前記圧縮機及び前記膨張弁が制御されることを特徴とする。
【０００７】
この空気調和機では、室内熱交換器において液冷媒の蒸発が行われる蒸発域の範囲が負荷に応じて変化することで、室内機に吸い込まれた風量が一定であっても、実際に蒸発域を通過する風量が変化する。これにより、負荷の増減に対して蒸発温度をさほど変化させずに除湿を行うことができる。
【０００８】
第２の発明にかかる空気調和機では、第１の発明にかかる空気調和機において、蒸発温度を検知する蒸発温度検知手段を備え、前記圧縮機及び前記膨張弁が、蒸発温度に基づいて制御されることを特徴とする。
【０００９】
この空気調和機では、負荷に応じて室内熱交換器の蒸発域の範囲を適正に変更できる。
【００１０】
第３の発明にかかる空気調和機では、第２の発明にかかる空気調和機において、前記圧縮機及び前記膨張弁が、蒸発温度が所定範囲内の温度になるように制御されることを特徴とする。
【００１１】
この空気調和機では、蒸発温度を除湿できる範囲に調整できる。
【００１２】
第４の発明にかかる空気調和機は、第１−第３のいずれかの発明にかかる空気調和機において、過熱温度を検知する過熱温度検知手段を備えることを特徴とする。
【００１３】
この空気調和機では、室内熱交換器において蒸発が終了していることを検知できる。
【００１４】
第５の発明にかかる空気調和機は、第１−第４のいずれかの発明にかかる空気調和機において、前記室内熱交換器が、前記所定の除湿運転モードにおいて、液冷媒が供給される補助熱交換器と、前記補助熱交換器の下流側に配置された主熱交換器とを有することを特徴とする。
【００１５】
第６の発明にかかる空気調和機は、第５の発明にかかる空気調和機において、前記主熱交換器が、室内機内の前面側に配置された前面熱交換器と、室内機内の背面側に配置された背面熱交換器とを有し、前記補助熱交換器が、前記前面熱交換器の前方に配置されることを特徴とする。
【００１６】
この空気調和機では、補助熱交換器の面積を大きくできるので、補助熱交換器の蒸発域が変化する範囲を大きくできる。
【００１７】
第７の発明にかかる空気調和機は、第６の発明にかかる空気調和機において、前記所定の除湿運転モードにおいて前記補助熱交換器の蒸発域となる段数が、前記前面熱交換器の段数の半分以上であることを特徴とする。
【００１８】
この空気調和機では、蒸発域の範囲を十分に広くできるので負荷の変動に十分に対応できる。特に負荷が大きい場合に効果がある。
【００１９】
第８の発明にかかる空気調和機は、第１−第７のいずれかの発明にかかる空気調和機おいて、前記室内熱交換器に空気流を供給する室内ファンと、前記室内ファンの回転数を変更する変更手段とを備えることを特徴とする。
【００２０】
この空気調和機では、室内熱交換器に供給される風量を変更することによって、負荷に応じて補助熱交換器の蒸発域の範囲を変更できる。
【発明の効果】
【００２１】
以上の説明に述べたように、本発明によれば、以下の効果が得られる。
第１の発明では、室内熱交換器において液冷媒の蒸発が行われる蒸発域の範囲が負荷に応じて変化することで、室内機に吸い込まれた風量が一定であっても、実際に蒸発域を通過する風量が変化する。これにより、負荷の増減に対して蒸発温度をさほど変化させずに除湿を行うことができる。
第２の発明では、負荷に応じて室内熱交換器の蒸発域の範囲を適正に変更できる。
第３の発明では、蒸発温度を除湿できる範囲に調整できる。
第４の発明では、室内熱交換器において蒸発が終了していることを検知できる。
第６の発明では、補助熱交換器の面積を大きくできるので、補助熱交換器の蒸発域が変化する範囲を大きくできる。
第７の発明では、蒸発域の範囲を十分に広くできるので負荷の変動に十分に対応できる。特に負荷が大きい場合に効果がある。
第８の発明では、室内熱交換器に供給される風量を変更することによって、負荷に応じて補助熱交換器の蒸発域の範囲を変更できる。
【図面の簡単な説明】
【００２２】
【図１】本発明の実施形態に係る空気調和機の冷媒回路を示す回路図である。
【図２】本発明の実施形態に係る空気調和機の室内機の概略断面図である。
【図３】室内熱交換器の構成を説明する図である。
【図４】本発明の実施形態に係る空気調和機の制御部を説明する図である。
【図５】膨張弁において開度を変化したときの流量変化の一例を示している。
【図６】除湿運転モードで運転される場合の制御を説明する図である。
【発明を実施するための形態】
【００２３】
以下、本発明に係る空気調和機１の実施の形態について説明する。
【００２４】
＜空気調和機１の全体構成＞
図１に示すように、本実施形態の空気調和機１は、室内に設置される室内機２と、室外に設置される室外機３とを備えている。そして、空気調和機１は、圧縮機１０と、四方弁１１、室外熱交換器１２と、膨張弁１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。室内熱交換器１４は、補助熱交換器２０と、主熱交換器２１とを有している。
【００２５】
空気調和機１は、冷房運転モード、所定の除湿運転モードおよび暖房運転モードにおける運転が可能であって、リモコンによって、いずれかの運転を選択して運転開始操作を行ったり、運転切換操作や運転停止操作を行うことができる。また、リモコンでは、室内温度の設定温度を設定したり、室内ファンの回転数を変化させることによって室内機２の風量を変更できる。
【００２６】
冷房運転モードおよび所定の除湿運転モードでは、図示実線矢印で示すように、圧縮機１０から吐出された冷媒が四方弁１１から室外熱交換器１２、膨張弁１３、補助熱交換器２０、主熱交換器２１へと順に流れ、主熱交換器２１を経た冷媒が四方弁１１を通って圧縮機１０に戻る冷房サイクルまたは除湿サイクルが形成される。すなわち、室外熱交換器１２が凝縮器、室内熱交換器１４（補助熱交換器２０および主熱交換器２１）が蒸発器として機能する。
【００２７】
一方、暖房運転モードでは、四方弁１１が切換わることにより、図示破線矢印で示すように、圧縮機１０から吐出される冷媒が四方弁１１から主熱交換器２１、補助熱交換器２０、膨張弁１３、室外熱交換器１２へと順に流れ、室外熱交換器１２を経た冷媒が四方弁１１を通って圧縮機１０に戻る暖房サイクルが形成される。すなわち、室内熱交換器１４（補助熱交換器２０および主熱交換器２１）が凝縮器、室外熱交換器１２が蒸発器として機能する。
【００２８】
室内機２は、上面に室内空気の吸込口２ａを有し、前面下部に空調用空気の吹出口２ｂとを有している。室内機２内には、吸込口２ａから吹出口２ｂに向かって空気流路が形成され、この空気流路には、室内熱交換器１４と、横流型の室内ファン１６が配置される。したがって、室内ファン１６が回転すると、室内空気が吸込口２ａから室内ユニット１内に吸込まれる。室内機２の前側において、吸込口２ａからの吸込み空気は、補助熱交換器２０と主熱交換器２１を通って室内ファン１６側に流れる。一方、室内機２の背面側において、吸込口２ａからの吸込み空気は、主熱交換器２１を通って室内ファン１６側に流れる。
【００２９】
室内熱交換器１４は、上述したように、補助熱交換器２０と、冷房運転モードおよび所定の除湿運転モードで運転されているときに、補助熱交換器２０の下流側に配置された主熱交換器２１を有している。主熱交換器２１は、室内機２の前面側に配置された前面熱交換器２１ａと、室内機２の背面側に配置された背面熱交換器２１ｂとを有しており、この熱交換器２１ａ、２１ｂが、室内ファン１６を囲むように逆Ｖ字状に配置される。そして、補助熱交換器２０が前面熱交換器２１ａの前方に配置される。補助熱交換器２０および主熱交換器２１（前面熱交換器２１ａ、背面熱交換器２１ｂ）は、それぞれ、熱交換パイプおよび多数枚のフィンを備えている。
【００３０】
冷房運転モードおよび所定の除湿運転モードでは、図３に示すように、補助熱交換器２０の下方の端部近くに配置された液入口１７ａから液冷媒が供給され、その供給された液冷媒は、補助熱交換器２０の上端に近付くように流れる。そして、補助熱交換器２０の上端近くに配置された出口１７ｂから流れ出て分岐部１８ａに流れる。分岐部１８ａにおいて分岐された冷媒が、それぞれ、主熱交換器２１の３つの入口１７ｃから、前面熱交換器２１ａの下方部分と上方部分と背面熱交換器２１ｂに供給され、その後、出口１７ｄから流れ出て合流部１８ｂで合流する。また、暖房運転モードでは、冷媒が上記と反対方向に流れる。
【００３１】
そして、空気調和機１では、所定の除湿運転モードでの運転が行われているとき、補助熱交換器２０の液入口１７ａから供給された液冷媒は、補助熱交換器２０の途中で全て蒸発する。したがって、補助熱交換器２０の液入口１７ａ近くの一部の範囲だけが、液冷媒が蒸発する蒸発域である。よって、所定の除湿運転モードで運転されているとき、室内熱交換器１４において、補助熱交換器２０の上流側の一部だけが蒸発域であって、補助熱交換器２０の蒸発域の下流側の範囲と主熱交換器２１とは、いずれも過熱域である。
【００３２】
そして、補助熱交換器２０の上端近くの過熱域を流れた冷媒が、補助熱交換器２０の下方部分の風下側に配置された前面熱交換器２１ａの下方部分を流れる。したがって、吸込口２ａからの吸込空気において、補助熱交換器２０の蒸発域で冷却された空気は、前面熱交換器２１ａで加熱された後で、吹出口２ｂから吹き出される。一方、吸込口２ａからの吸込空気において、補助熱交換器２０の過熱域と前面熱交換器２１ａを流れた空気と、背面熱交換器２１ｂを流れた空気とは、室内温度と略同一の温度で、吹出口２ｂから吹き出される。
【００３３】
空気調和機１では、図１に示すように、室外機３に、冷媒回路において膨張弁１３の下流側において蒸発温度を検知する蒸発温度センサ３０が取り付けられる。そして、室内機２に、室内温度（室内機２の吸込口２ａからの吸込空気の温度）を検知する室内温度センサ３１と、補助熱交換器２０において液冷媒の蒸発が終了したことを検知する室内熱交温度センサ３２が取付けられる。
【００３４】
室内熱交温度センサ３２は、図３に示すように、補助熱交換器２０の上端近くの風下側に配置される。そして、補助熱交換器２０の上端近くの過熱域では、吸込口２ａからの吸込空気がほとんど冷却されない。したがって、室内熱交温度センサ３２で検知される温度が、室内温度センサ３１で検知される室内温度と略同一である場合には、補助熱交換器２０の途中で蒸発が終了して、補助熱交換器２０の上端近くの範囲が過熱域であることを検知できる。また、室内熱交温度センサ３２は、室内熱交換器１４の中間部の伝熱管に配置される。したがって、室内熱交換器１４の中間部近くにおいて、冷暖房運転での凝縮温度または蒸発温度を検知できる。
【００３５】
図４に示すように、空気調和機１の制御部には、圧縮機１０と、四方弁１１、膨張弁１３と、室内ファン１６を駆動するモータ１６ａと、蒸発温度センサ３０と、室内温度センサ３１と、室内熱交温度センサ３２とが接続される。したがって、制御部は、リモコンからの指令（運転開始操作や室内温度の設定温度等）や、蒸発温度センサ３０で検知される蒸発温度、室内温度センサ３１で検知される室内温度（吸込空気の温度）、室内熱交温度センサ３２で検知される熱交中間温度に基づいて空気調和機１の運転を制御する。
【００３６】
そして、空気調和機１では、所定の除湿運転モードにおいて、補助熱交換器２０が、液冷媒が蒸発する蒸発域と蒸発域の下流側の過熱域を有するが、この蒸発域の範囲が、負荷に応じて変化するように、圧縮機１０及び膨張弁１３が制御される。ここで、負荷に応じて変化するとは、蒸発域に供給される熱量に応じて変化することであって、熱量は例えば室内温度（吸込空気の温度）と室内風量によって決まる。また、負荷は、必要除湿能力（必要冷房能力）に対応しており、例えば室内温度と設定温度との差に基づいて検知できる。
【００３７】
圧縮機１０は、室内温度と設定温度との差に基づいて制御される。室内温度と設定温度との差が大きい場合に負荷が大きいことから圧縮機１０の周波数が増加され、室内温度と設定温度との差が小さい場合に負荷が小さいことから、圧縮機１０の周波数が減少するように制御される。
【００３８】
膨張弁１３は、蒸発温度センサ３０で検知される蒸発温度に基づいて制御される。上述したように、圧縮機１０の周波数が制御された状態において、蒸発温度が目標蒸発温度（１２℃）近くの所定範囲（１０℃−１４℃）内の温度になるように、膨張弁１３が制御される。この蒸発温度の所定範囲は、圧縮機１０の周波数によらず一定に制御されるのが好ましい。ただし、周波数によって、わずかに変化するようにしても実質的に一定であれば問題ない。
【００３９】
このように、所定の除湿運転モードにおいて、負荷に応じて圧縮機１０及び膨張弁１３を制御することによって、補助熱交換器２０の蒸発域の範囲を変化して、蒸発温度が所定範囲内の温度になるようにできる。
【００４０】
空気調和機１では、補助熱交換器２０及び前面熱交換器２１ａが、１２段の伝熱管をそれぞれ有している。そして、所定の除湿運転モードにおいて補助熱交換器２０の蒸発域となる段数が、前面熱交換器２１ａの段数の半分以上である場合、補助熱交換器の蒸発域の範囲を十分に広くできるので負荷の変動に十分に対応できる。特に負荷が大きい場合に効果がある。
【００４１】
図５は、膨張弁１３において開度を変化したときの流量変化を示している。膨張弁１３は、入力される駆動パルスの数に応じて開度が連続的に変化する。そして、開度が減少するにつれて、膨張弁１３を流れる冷媒の流量が減少する。膨張弁１３では、開度ｔ０のときに全閉状態であって、開度ｔ０からｔ１の間では、開度が増加するにつれて流量が第１の傾きにしたがって増加し、開度ｔ１からｔ２の間では、開度が増加するにつれて流量が第２の傾きにしたがって増加する。ここで、第１の傾きは、第２の傾きより大きい。
【００４２】
空気調和機１において所定の除湿運転モードで運転される場合の制御について、図６に基づいて説明する。
【００４３】
まず、リモコンにおいて除湿運転開始操作が行われると（ステップＳ１）、圧縮機周波数が上限周波数より小さく、熱交中間温度が除湿限界温度より高いか否かを判断することによって、冷房運転において負荷が小さくて除湿できない状態であるかを判断する（ステップＳ２）。ステップＳ２では、圧縮機周波数が除湿運転モードにおける上限周波数より小さく、冷房運転において負荷が小さくて除湿できない状態であるかを判断しているが、圧縮機周波数が上限周波数より小さい場合でも、蒸発温度が低い場合は除湿できると考えられるので、蒸発温度が除湿限界温度より低い場合は、冷房運転において負荷が小さくて除湿できない状態であると判断しない。したがって、ステップＳ２では、負荷が小さく、蒸発温度が除湿限界温度より高い場合に、冷房運転において除湿できない状態であると判断する。
【００４４】
そして、圧縮機周波数が上限周波数より小さく、熱交中間温度が除湿限界温度より高いと判断した場合には（ステップＳ２：ＹＥＳ）、冷房運転では負荷が小さくて除湿できないので、弁開度を急激に閉じて、除湿運転を開始する（ステップＳ３）。すると、補助熱交換器２０の液入口１７ａから供給された液冷媒が補助熱交換器２０の途中で全て蒸発して、補助熱交換器２０の液入口１７ａ近くの一部の範囲だけが蒸発域となる除湿運転が開始される。
【００４５】
除湿運転が開始された後、蒸発温度センサ３０で検知される蒸発温度が下限値より低いか否かを判断することによって、蒸発温度が低すぎないかを判断する。（ステップＳ４）。蒸発温度が下限値（膨張弁１３の閉塞を防止するための下限値）より低い場合は、膨張弁１３が閉塞状態に近いと考えられる。したがって、ステップＳ４では、膨張弁１３が閉塞状態に近いかを判断して、弁開度を大きくする必要があるかを判断する。
【００４６】
そして、蒸発温度が下限値より低い（膨張弁１３が閉塞状態に近い）と判断された場合には（ステップＳ４：ＹＥＳ）、熱交中間温度（補助熱交換器２０の上端近くの風下側の空気温度）が室内温度より高いか否かを判断することによって、補助熱交換器２０で蒸発が終了しているかを判断する（ステップＳ５）。補助熱交換器２０の上端近くが過熱域である場合は、吸込口２ａからの吸込空気が補助熱交換器２０の上端近くにおいてほとんど冷却されないので、室内熱交温度センサ３２で検知される熱交中間温度が、室内温度センサ３１で検知される室内温度に近い温度か室内温度より高い温度になる。したがって、ステップＳ５では、熱交中間温度が室内温度より補正量だけ低い温度以上である場合に、補助熱交換器２０の上端近くの風下側の空気温度が室内温度より高いと判断して、補助熱交換器２０の上端近くの範囲が過熱域であって、補助熱交換器２０で蒸発が終了していると判断する。
【００４７】
熱交中間温度（補助熱交換器２０の上端近くの風下側の空気温度）が室内温度より低い場合には（ステップＳ５：ＮＯ）、補助熱交換器２０で蒸発が終了してない状態であるが、弁開度を急激に開く（ステップＳ６）。その後、補助熱交換器２０の液入口１７ａから供給された液冷媒が、主熱交換器２１に流れる状態において冷房運転を開始する（ステップＳ７）。
【００４８】
一方、熱交中間温度（補助熱交換器２０の上端近くの風下側の空気温度）が室内温度より高い場合には（ステップＳ５：ＹＥＳ）、補助熱交換器２０で蒸発が終了して、補助熱交換器２０が蒸発域と過熱域とを有している状態において、弁開度を大きく開く（ステップＳ８）。その後、室内温度が室内設定温度に近付くように圧縮機の周波数を変更する（ステップＳ９）。そして、圧縮機周波数が上限周波数より小さいか否かを判断する（ステップＳ１０）。圧縮機周波数が上限周波数以上の場合には（ステップＳ１０：ＮＯ）、冷房運転において除湿できるので、冷房運転を開始する（ステップＳ７）。圧縮機周波数が上限周波数より小さい場合には（ステップＳ１０：ＹＥＳ）、除湿運転の状態で、ステップＳ４が移行する。
【００４９】
ステップＳ２において、圧縮機周波数が上限周波数以上、または、熱交中間温度が除湿限界温度以下と判断した場合には（ステップＳ２：ＮＯ）、冷房運転において除湿できる状態であるので、冷房運転を開始する（ステップＳ７）。
【００５０】
ステップＳ４において、蒸発温度センサ３０で検知される蒸発温度が下限値以上の場合には（ステップＳ４：ＮＯ）、熱交中間温度（補助熱交換器２０の上端近くの風下側の空気温度）が室内温度より高いか否かを判断することによって、補助熱交換器２０で蒸発が終了しているかを判断する（ステップＳ１１）。
【００５１】
熱交中間温度（補助熱交換器２０の上端近くの風下側の空気温度）が室内温度より高い場合には（ステップＳ１１：ＹＥＳ）、補助熱交換器２０で蒸発が終了して、補助熱交換器２０が蒸発域と過熱域と有している状態であるが、蒸発温度が目標蒸発温度近くの所定範囲内の温度か否かを判断する（ステップＳ１２）。このように、ステップＳ１２では、蒸発温度センサ３０で検知される蒸発温度が目標蒸発温度近くの所定範囲内の温度となるように、弁開度を変更する必要があるかを判断する。
【００５２】
ステップＳ１２において、蒸発温度が目標蒸発温度近くの所定範囲内の温度である場合には（ステップＳ１２：ＹＥＳ）、弁開度を変更する必要がないので、ステップＳ９に移行する。
【００５３】
一方、蒸発温度が目標蒸発温度近くの所定範囲内の温度でない場合には（ステップＳ１２：ＮＯ）、蒸発温度が目標蒸発温度より低いか否かを判断する（ステップＳ１３）。蒸発温度が目標蒸発温度より低い場合には（ステップＳ１３：ＹＥＳ）、蒸発温度が目標蒸発温度に近付くように、弁開度を少し開く（ステップＳ１４）。一方、蒸発温度が目標蒸発温度より高い場合には（ステップＳ１３：ＮＯ）、蒸発温度が目標蒸発温度に近付くように、弁開度を少し閉じる（ステップＳ１５）。その後、ステップＳ９に移行する。
【００５４】
ステップＳ１１において、熱交中間温度（補助熱交換器２０の上端近くの風下側の空気温度）が室内温度以下の場合には（ステップＳ１１：ＮＯ）、補助熱交換器２０で蒸発が終了してないので、弁開度を大きく閉じる（ステップＳ１６）。その後、ステップＳ９に移行する。
【００５５】
このように、空気調和機１では、所定の除湿運転モードにおいて補助熱交換器２０の蒸発域の範囲が変化するように行われる制御が行われる。例えば、所定の除湿運転モードにおいて、補助熱交換器２０の蒸発域の範囲が所定面積であるときに負荷が大きくなった場合、圧縮機１０の周波数が増加されると共に、膨張弁１３の開度が大きく変更される。したがって、補助熱交換器２０の蒸発域の範囲が所定面積より大きくなって、室内機２に吸い込まれた風量が一定であっても、実際に蒸発域を通過する風量が増加する。
【００５６】
一方、所定の除湿運転モードにおいて、補助熱交換器２０の蒸発域の範囲が所定面積であるときに負荷が小さくなった場合、圧縮機１０の周波数が減少されると共に、膨張弁１３の開度が小さく変更される。したがって、補助熱交換器２０の蒸発域の範囲が所定面積より小さくなって、室内機２に吸い込まれた風量が一定であっても、実際に蒸発域を通過する風量が減少する。
【００５７】
＜本実施形態の空気調和機の特徴＞
本実施形態の空気調和機１では、補助熱交換器２０において液冷媒の蒸発が行われる蒸発域の範囲が負荷に応じて変化することで、室内機２に吸い込まれた風量が一定であっても、実際に蒸発域を通過する風量が変化する。これにより、負荷が大きいときに補助熱交換器２０で蒸発を完了させるために、過度に蒸発温度を下げてＣＯＰを悪化させること無く、広い負荷範囲で、除湿を続けることが可能となる。そして、蒸発温度を極度に下げる必要がないため、凍結に至ることがなく、除霜運転の必要がない。また、風量を増やしても除湿できるため、低負荷でも部屋全体を均一に冷やしながら、除湿ができて、蒸し暑さを感じずに済む。
【００５８】
また、本実施形態の空気調和機１では、圧縮機１０及び膨張弁１３が、蒸発温度が所定範囲内の温度になるように制御されるので、負荷に応じて補助熱交換器２０の蒸発域の範囲を適正に変更できると共に、蒸発温度を除湿できる範囲に調整できる。
【００５９】
さらに、本実施形態の空気調和機１では、室内熱交温度センサ３２によって、補助熱交換器２０の過熱域の風下側の空気温度を検知することによって、補助熱交換器２０において蒸発が終了していることを検知できる。
【００６０】
また、本実施形態の空気調和機１では、主熱交換器２１が、室内機２内の前面側に配置された前面熱交換器２１ａと、室内機２内の背面側に配置された背面熱交換器２１ｂとを有し、補助熱交換器２０が、前面熱交換器２１ａの前方に配置されることで、補助熱交換器２０の面積を大きくできるので、補助熱交換器２０の蒸発域が変化する範囲を大きくできる。
【００６１】
また、本実施形態の空気調和機１では、室内ファン１６の回転数を変更することができるので、室内熱交換器１４に供給される風量を変更することによって、負荷に応じて補助熱交換器２０の蒸発域の範囲を変更できる。
【００６２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６３】
上述の実施形態において、補助熱交換器と主熱交換器とが一体に構成されてもよい。したがって、この場合、室内熱交換器が一体に構成され、室内熱交換器の最風上側に、補助熱交換器に対応した部分が設けられ、その風下側に、主熱交換器に対応した部分が設けられる。
【００６４】
また、上述の実施形態では、冷房運転モード、所定の除湿運転モードおよび暖房運転モードでの運転を行う空気調和機について説明したが、所定の除湿運転モードの他の方法で除湿運転を行う除湿運転モードでの運転を行う空気調和機であってもよい。
【産業上の利用可能性】
【００６５】
本発明を利用すれば、低負荷時に負荷の変動があっても確実に除湿を行うことができる。
【符号の説明】
【００６６】
１  空気調和機
２  室内機
３  室外機
１０  圧縮機
１２  室外熱交換器
１３  膨張弁
１４  室内熱交換器
１６  室内ファン
２０  補助熱交換器
２１  主熱交換器
【図１】
2014159954.tif 000003
【図２】
2014159954.tif 000004
【図３】
2014159954.tif 000005
【図４】
2014159954.tif 000006
【図５】
2014159954.tif 000007
【図６】
2014159954.tif 000008